(57)【要約】【課題】ユーザの腰部がガイドされて楽に揺動できる腰部鍛錬装置を提供する。【解決手段】ハウジング１１の内部には電動モータ２が設けられ、電動モータ２が減速手段２１を介して枢着軸２１１を回転させ、枢着軸２１１が伝動手段４を介してロッド台５を駆動してロッド台５が枢着軸２１１の軸心周りを円運動をするようになる。ロッド台５には連動ロッド５１が設けられ、連動ロッド５１は調整装置５２にてロッド台５に対する高さを調整可能であり、その頂部にはユーザが股下で挟むことが可能なガイド部６が設けられている。ユーザが股下でガイド部６を挟んで、腰部鍛錬装置によってユーザの腰部がフラフープを揺動することと同じように揺動できる。【選択図】図２
0003136255.tif 000002
【実用新案登録請求の範囲】
【請求項１】
ハウジングの内部に設けられる電動モータと、前記電動モータの回転力が減速手段を経由して伝達される枢着軸と、前記枢着軸に平行に設けられるロッド台と、一端が前記枢着軸に設けられ、他端がロッド台に設けられる伝動手段と、を備え、
前記電動モータの回転駆動力が、前記減速手段、前記枢着軸及び前記ロッド台に伝達されると、前記ロッド台が前記枢着軸の軸線周りを円運動するとともに、
前記ロッド台には連動ロッドが設けられ、前記連動ロッドは調整装置により前記ロッド台に対する高さを調整可能であり、前記連動ロッドの頂部にはユーザが股下で挟むことが可能なガイド部が設けられていることを特徴とする腰部鍛錬装置。
【請求項２】
前記伝動手段は、横方向に向いているロッドを有し、前記ロッドは一端が前記枢着軸の上端に連接され、他端が立設されている前記ロッド台に枢着され、前記ロッドの前記ロッド台に枢着されている一端に近接する箇所の底部には転がり具が設けられ、前記転がり具は前記ハウジングの上端に当接して前記ロッドを支持し、前記ハウジングは台座の上に設けられ、前記台座の前端には上に伸びる連接部が延設され、前記連接部の上端には制御パネルが設けられ、前記制御パネルは回路板と電気的に連接し、前記ハウジングの内部の電動モータを駆動することを特徴とする請求項１に記載の腰部鍛錬装置。
【請求項３】
前記転がり具には前記ロッドから下に伸びる支持台が設けられ、前記支持台の下面には前記ハウジングの上面に貼り付けられて転がり可能なローラが設けられていることを特徴とする請求項２に記載の腰部鍛錬装置。
【請求項４】
前記転がり具は、１つ以上のスチール玉であり、前記ロッドのロッド台に近接する一端の底部には溝が設けられ、前記ハウジングの上面には環状溝が設けられ、前記環状溝の輪郭は前記ロッドが回転しているときに前記溝が描く軌道に一致し、前記スチール玉は前記溝と前記環状溝との間に規制され、回転しているロッドを支持することを特徴とする請求項２に記載の腰部鍛錬装置。
【請求項５】
前記伝動手段は、枢着軸を介して能動ギアを駆動させ、前記能動ギアの両側がそれぞれ受動ギアを駆動させ、各前記受動ギアの上面には連接ロッドがそれぞれ設けられ、各前記連接ロッドがそれぞれロッドの両端に枢着され、前記ロッド台が前記ロッドの中央に立設されていることを特徴とする請求項１に記載の腰部鍛錬装置。
【考案の詳細な説明】
【技術分野】
【０００１】
本考案は、腰部鍛錬装置に係り、特に、ユーザの腰部がガイドされて揺動するようになる腰部鍛錬装置に関する。
【背景技術】
【０００２】
市販されている鍛錬器材は、色々あるが、それらを大雑把に分けると、腰部揺動器材と、股部揺動器材と、胸部拡張器材と、重量訓練器材と、ジョギング訓練器材とに分けられる。従来のフラフープは腰部が持続して揺動しないと、フラフープを腰部に保持できないものであるので、腰部および股部を揺動する最高なものであり、且つその揺動形態は極めて柔らかくてスムーズであるので、全年齢の消費者に愛用されている。
【考案の開示】
【考案が解決しようとする課題】
【０００３】
しかしながら、これは次のような欠点がある。
（イ）フラフープを回転することは、持続的な練習が不可欠であり、そうしないと、フラフープを回転することをうまくできず、フラフープを回転することは、一般のユーザにとって難しい。
（ロ）一般のフラフープの直径が一定であるので、各ユーザに適用できる寸法に変更することができず、例えば、子供と大人の体格の差が大きいので、一つのフラフープを全てのユーザに適用することができない。
【０００４】
（ハ）フラフープは、腰部を揺動することによってフラフープを回転するが、フラフープの回転を開始するときには、腰部の揺動力を大きくしないと、フラフープの回転をうまく開始できないが、お年寄りの場合には、腰部の揺動力を大きくすると、腰部に運動傷害が発生するおそれがある。
（二）フラフープによって運動しているときに、高度の集中力が必要であるので、運動しながら別の仕事をすることができない。
本考案の主な目的は、ユーザの腰部がガイドされて楽に揺動することができる腰部鍛錬装置を提供することにある。
【課題を解決するための手段】
【０００５】
上記目的を達成するためになされた本考案は、ハウジングの内部には電動モータが設けてあり、前記電動モータが減速手段を介して枢着軸を回転させ、前記枢着軸が伝動手段を介して立設しているロッド台を駆動して前記ロッド台が枢着軸２１１の軸線周りに円運動をするようになり、前記ロッド台には連動ロッドが設けてあり、前記連動ロッドは調整装置にて前記ロッド台に対する高さを調整可能であり、その頂部にはユーザが股下で挟むことが可能なガイド部が設けてあることを特徴とする腰部鍛錬装置である。
（考案の効果）
【０００６】
本考案の腰部鍛錬装置によれば、ユーザの腰部はガイドされて楽に揺動することができる。
【考案を実施するための最良の形態】
【０００７】
以下、本考案の好適な実施の形態を図面に基づいて詳細に説明する。
（第１実施例）
まず、図１から図６を参照する。本考案の第１実施例の腰部鍛錬装置は、台座１にハウジング１１が設けてあり、ハウジング１１の内部には電動モータ２が設けてあり、ハウジング１１の上面から突出する枢着軸２１１は減速手段２１に枢着されている。電動モータ２の駆動力は減速手段２１を介して枢着軸２１１に伝達され、枢着軸２１１を回転させる。
台座１の前端には上に延びてユーザに接近する連接部１２が設けてあり、連接部１２の上端には制御パネル１３が設けてあり、制御パネル１３は回路板３と電気的に連接しハウジング１１の内部の電動モータ２を駆動する（電動モータ２は、図６に示すように、ラジコン装置１３Ａにてコードレスで制御可能である）。
【０００８】
電動モータ２で駆動される枢着軸２１１の上には伝動手段４が設けてあり、伝動手段４が保護ケース１４に覆われている。伝動手段４は横方向に向いているロッド４１を有し、ロッド４１は一端が枢着軸２１１の上端に連接され、他端が軸受を介して立設しているロッド台５に枢着される。ロッド４１のロッド台５に枢着される一端に近接する箇所の底部には転がり具が設けてあり、本実施例では、前記転がり具にはロッド４１から下に伸びる支持台４１１が設けてあり、支持台４１１の下面にはハウジング１１の上面に貼り付けられて転がり可能のローラ４１２が設けてある。
ロッド台５の上面は透かした状態であり、前記透かした一端に連動ロッド５１が挿入してあり、連動ロッド５１はロッド台５に対して上下動自在であり、連動ロッド５１は調整装置５２にてロッド台５に対する高さを調整可能であり、その頂部にはユーザの腰部の揺動をガイドするためのガイド部６が設けてある。
【０００９】
上記から明らかなように、電動モータ２が回転すると、減速手段２１と枢着軸２１１とを介して伝動手段４のロッド４１が連動される。且つロッド４１の回転方向は制御パネル１３と電気的に連接している回路板３によって制御される。だから、ロッド４１の一端が枢着軸２１１に連動して回転するとき、ロッド４１の枢着軸２１１から遠ざかった一端に設けられたロッド台５が枢着軸２１１の軸線周りに円運動をするようになり、ロッド台５に固定された連動ロッド５１及びそのガイド部６も枢着軸２１１の軸線周りに円運動をするようになる（図３参照）。ユーザがガイド部６に跨ろうとする場合には、まず、調整装置５２にて連動ロッド５１の高さを調整することにより、ガイド部６を適当な高さに調整する（図４と図５に示したのは相違の体型を見て高さを調整することである）。運動をする前には、ユーザが股下でガイド部６をやや挟んで、制御パネル１３にて運転モードを設定した後、本実施例の腰部鍛錬装置を起動する。本実施例の腰部鍛錬装置を起動した後、ユーザが股下でガイド部６をやや挟んでいるので、腰部鍛錬装置によってユーザの腰部がフラフープを揺動することと同じように揺動を開始する。
【００１０】
（第２実施例）
また、図７を参照する。図７は、本考案の第２実施例の構成を示す平面図である。本考案の実施例２の腰部鍛錬装置は、伝動手段４は横方向に向いているロッド４１Ａを有し、ロッド４１Ａは一端が枢着軸２１１の上端に連接され、他端が立設しているロッド台５に枢着され、なお、転がり具は一つのスチール玉４４であり、ロッド４１Ａのロッド台５に近接する一端の底部には溝４１１Ａが設けてあり、ハウジング１１の上面には環状溝１１１が設けてあり、環状溝１１１の輪郭はロッド４１Ａが回転しているときに溝４１１Ａが描く軌道に一致し、なお、スチール玉４４は溝４１１Ａと環状溝１１１との間に規制され、回転しているロッド４１Ａを支持する。
【００１１】
（第３実施例）
また、図８から図１０を参照する。図８から図１０は、本考案の第３実施例の構成を示す図である。本考案の第３実施例の腰部鍛錬装置は、伝動手段４は能動ギア４１Ｂを含み、能動ギア４１Ｂがハウジング１１の外側にある枢着軸２１１に固定されて軸方向に伝動可能であり、ハウジング１１には能動ギア４１Ｂと受動ギア４２Ｂとを保護するための保護ケース１４Ｂが設けてある。各受動ギア４２Ｂの上面の中心には連接ロッド４２１Ｂが設けてあり、二つの連接ロッド４２１Ｂの間にはロッド４３Ｂが枢着し、ロッド４３Ｂの中央には保護ケース１４を挿通して外部に突出したロッド台５が設けてある。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１２】
【図１】本考案の第１実施例による腰部鍛錬装置を示す斜視図である。
【図２】本考案の第１実施例による腰部鍛錬装置を示す平面図である。
【図３】本考案の第１実施例による腰部鍛錬装置のガイド部の作動を示す概略図である。
【図４】本考案の第１実施例による腰部鍛錬装置の第一の使用状態を示す概略図である。
【図５】本考案の実施例１による腰部鍛錬装置の第二の使用状態を示す概略図である。
【図６】本考案の第１実施例による腰部鍛錬装置のラジコンよる操作を示す概略図である。
【図７】本考案の第２実施例による腰部鍛錬装置を示す平面図である。
【図８】本考案の第３実施例による腰部鍛錬装置を示す側面図である。
【図９】本考案の第３実施例による腰部鍛錬装置の伝動手段を示す模式図である。
【図１０】本考案の第３実施例による腰部鍛錬装置の伝動手段を示す平面図である。
【符号の説明】
【００１３】
１：台座、２：電動モータ、３：回路板、４：伝動手段、５：ロッド台、６：ガイド部、１１：ハウジング、１２：連接部、１３：制御パネル、１４：保護ケース、１４Ｂ：保護ケース、２１：減速手段、４１：ロッド、４１Ａ：ロッド、４１Ｂ：能動ギア、４２Ｂ：受動ギア、４３Ｂ：ロッド、４４：スチール玉、５１：連動ロッド、５２：調整装置、１１１：環状溝、２１１：枢着軸、４１１：支持台、４１１Ａ：溝、４１２：ローラ、４２１Ｂ：連接ロッド
【図１】
0003136255.tif 000003
【図２】
0003136255.tif 000004
【図３】
0003136255.tif 000005
【図４】
0003136255.tif 000006
【図５】
0003136255.tif 000007
【図６】
0003136255.tif 000008
【図７】
0003136255.tif 000009
【図８】
0003136255.tif 000010
【図９】
0003136255.tif 000011
【図１０】
0003136255.tif 000012